(57)【要約】      （修正有）【課題】収納物品に対して優れた保護作用を奏するとともに操作が非常に便利であり、同時に移動しやすく、気軽に持ち歩くことができ、更に実用性に優れ、ゴルフバッグ、旅行用トランク、器械収納・保管用箱等に広く用い、特に種々の仕様と型番のゴルフバッグに適用することができる携帯式多用途収納箱を提供する。【解決手段】携帯式多用途収納箱は、底板１、底板に配設される外筒２、外筒の内壁に配設され且つ外筒の軸方向に沿って伸縮可能な内筒、底板の中部に配設される支持チューブ４、及び支持チューブの頂部に嵌め込まれて収納物品の仕切りと固定に用いられる網枠５を含み、底板、外筒及び内筒に取り囲まれて一つの収納チャンバ６が形成され、更に底板の底部に配設されるベースを含み、ベースには移動輪軸が収容可能に配設されている。【選択図】図１
0003190760.tif 000002
【実用新案登録請求の範囲】
【請求項１】
底板（１）、及び底板（１）に配設される外筒（２）を含む携帯式多用途収納箱であり、
外筒（２）の内側壁に配設され且つ外筒（２）の軸方向に沿って伸縮可能な内筒（３）と、底板（１）の中部に配設され且つ内筒（３）内部に位置する支持チューブ（４）と、支持チューブ（４）の頂部に嵌め込まれたされて収納物品の仕切りと固定に用いられる網枠（５）とを更に含み、
前記底板（１）、外筒（２）及び内筒（３）に取り囲まれて一つの収納チャンバ（６）が形成されていることを特徴とする、携帯式多用途収納箱。
【請求項２】
前記外筒（２）は、外筒胴体（２０１）及び外筒胴体（２０１）の頂部に固設される外筒上枠（２０２）からなり、前記内筒（３）は、内筒胴体（３０１）、内筒胴体（３０１）の底部に固設される内筒下枠（３０２）、及び内筒胴体（３０１）の頂部に固設される内筒上枠（３０３）からなり、
前記外筒（２）と内筒（３）の間に伸縮制御機構（７）が更に配設されており、前記伸縮制御機構（７）は、内筒胴体（３０１）と内筒上枠（３０３）の間に配設される胴体留め具（７０１）と、外筒胴体（２０１）と外筒上枠（２０２）の間に配設されるキーホルダー（７０２）と、キーホルダー（７０２）に配設されるキーシャフト（７０３）と、キーシャフト（７０３）に嵌め込まれた捩りバネ（７０４）と、キーシャフト（７０３）を介して回動自在にキーホルダー（７０２）に配設されて胴体留め具（７０１）を強固に係止させる伸縮キー（７０５）とから構成され、
前記伸縮キー（７０５）と捩りバネ（７０４）とが弾性接触していることを特徴とする、請求項１に記載の携帯式多用途収納箱。
【請求項３】
前記底板（１）に、内筒（３）の自動上昇を制御する弾性上昇機構（８）が更に配設されており、前記弾性上昇機構（８）は、底板（１）に固設される少なくとも二つのスプリングガイドピラー（８０１）を含み、各スプリングガイドピラー（８０１）にそれぞれ上昇バネ（８０２）が嵌め込まれ、前記内筒下枠（３０２）と内筒上枠（３０３）にそれぞれ突起（３０４）が設けられ、各突起（３０４）にはスプリングガイドピラー（８０１）が挿入された貫通孔が設けられており、
前記上昇バネ（８０２）は、内筒下枠（３０２）における対応する突起（３０４）と底板（１）の間に位置し、上昇バネ（８０２）の弾性作用で前記内筒胴体（３０１）が外筒（２）の軸方向に沿って自動的に上昇することができることを特徴とする、請求項２に記載の携帯式多用途収納箱。
【請求項４】
底板（１）の下方に設けられて内筒（３）の遅速上昇を制御する遅速上昇装置（１０）を更に含み、前記遅速上昇装置（１０）は、遅速上昇ギアボックス（１００１）、遅速上昇ギアボックス（１００１）内に配設される定速歯車セット（１００２）、歯車クラッチ（１００３）及び遅速上昇コイルバネ（１００４）、並びに順に定速歯車セット（１００２）と伝達可能に連結される抵抗シート（１００５）及び遅速上昇リール（１００６）を含み、
前記遅速上昇リール（１００６）に遅速上昇引張ロープ（１００７）が巻取られ、該遅速上昇引張ロープ（１００７）の一端が底板（１）を貫通して内筒下枠（３０２）に連結され、内筒（３）の自動上昇速度を緩めることを特徴とする、請求項３に記載の携帯式多用途収納箱。 
【請求項５】
引張チェーン（９０１）を介して内筒上枠（３０３）に取り外し可能に連結される可動式カバー（９）を更に含み、前記可動式カバー（９）に少なくとも一つの可動留め具（９０２）が設けられ、前記内筒上枠（３０３）に前記可動留め具（９０２）と合わせて強固に係止されるボタン（３０５）が設けられることを特徴とする、請求項２に記載の携帯式多用途収納箱。
【請求項６】
前記外筒（２）の外側壁に肩紐（２０３）及び複数のボタン（２０４）が更に設けられ、前記ボタン（２０４）を介して外筒（２）に取り外し可能に配設される収納袋（２０５）を更に備えることを特徴とする、請求項１に記載の携帯式多用途収納箱。
【請求項７】
底板（１）の底部に配設されるベース（１１）を更に含み、前記ベース（１１）には移動輪軸（１２）が収容可能に配設されており、
前記移動輪軸（１２）は、回転軸（１２０１）を介して回転可能にベース（１１）の底部に設けられる第１台車チューブ（１２０２）及び第２台車チューブ（１２０３）、並びに第１台車チューブ（１２０２）の末端に配設される第１移動輪（１２０４）、及び第２台車チューブ（１２０３）に配設される第２移動輪（１２０５）を含み、
前記ベース（１１）の底部に、第１台車チューブ（１２０２）及び第１移動輪（１２０４）が嵌め込まれた第１溝部（１１０１）と、第２台車チューブ（１２０３）及び第２移動輪（１２０５）が嵌め込まれた第２溝部（１１０２）とが設けられていることを特徴とする、請求項１〜６の何れか１項に記載の携帯式多用途収納箱。
【請求項８】
前記移動輪軸（１２）の自動格納と排出を駆動する輪軸駆動装置（１３）を更に含み、前記輪軸駆動装置（１３）は、ベース（１１）内に配設される引張バネ（１３０１）、引張バネ（１３０１）と連結される可動プレス板（１３０２）、可動プレス板（１３０２）の一側に固定した形で連結されて第１台車チューブ（１２０２）の位置決めに用いられる第１固定シート（１３０３）、可動プレス板（１３０２）の他の一側に固定した形で連結されて第２台車チューブ（１２０３）の位置決めに用いられる第２固定シート（１３０４）、及び可動プレス板（１３０２）に連結されて可動プレス板（１３０２）を引っ張るための輪軸キー機構（１４）を含み、
前記第１台車チューブ（１２０２）と第２台車チューブ（１２０３）にそれぞれ位置決めピン（１２０６）が設けられ、前記第１固定シート（１３０３）は、ベース（１１）に回動可能に配設され且つ第１台車チューブ（１２０２）の位置決めピン（１２０６）の下部に配置され、第１固定シート（１３０３）に、位置決めピン（１２０６）の位置を限定するために二つの第１位置限定溝（１３０５）が対称となって更に設けられ、前記第２固定シート（１３０４）は、ベース（１１）に回動可能に配設され且つ第２台車チューブ（１２０３）の位置決めピン（１２０６）の下部に配置され、第２固定シート（１３０４）に、位置決めピン（１２０６）の位置を限定するために二つの第２位置限定溝（１３０５）が更に対称となって設けられており、
前記第１台車チューブ（１２０２）と第２台車チューブ（１２０３）の回転軸（１２０１）にそれぞれ振りバネ（１３０７）が嵌め込まれ、回転軸（１２０１）の端部に両方向性振り子棒（１３０８）が嵌め込まれており、前記ベース（１１）内に両方向性振り子棒（１３０８）の両側においてそれぞれ振りバネ（１３０７）の端部と当接する振りバネ位置限定溝（１１０３）が更に設けられていることを特徴とする、請求項７に記載の携帯式多用途収納箱。
【請求項９】
前記輪軸キー機構（１４）は、ベース（１１）内に配設されるガイドピラー（１４０１）、ガイドピラー（１４０１）に嵌め込まれた引張ローププレスボタン（１４０２）、ベース（１１）内に配設される輪軸リール（１４０３）、一端が前記可動プレス板（１３０２）に引き留められ、他端が輪軸リール（１４０３）を経由して引張ローププレスボタン（１４０２）を貫いて設置される輪軸引張ロープ（１４０４）、キー支持枠（１４０５）を介して外筒胴体（２０１）に配設される輪軸キー（１４０６）、及び一端が輪軸キー（１４０６）に固定した形で連結され、他端が引張ローププレスボタン（１４０２）内を貫いて設置される押込みピラー（１４０７）を備え、
輪軸キー（１４０６）が押込まれると、前記押込みピラー（１４０７）、引張ローププレスボタン（１４０２）及び輪軸引張ロープ（１４０４）を経由して順次に伝達されることで前記可動プレス板（１３０２）が引っ張られて移動することを特徴とする、請求項５に記載の携帯式多用途収納箱。
【請求項１０】
前記移動輪軸（１２）が排出された場合、第１移動輪（１２０４）と第２移動輪（１２０５）の間の幅がベース（１１）、底板（１）及び外筒（２）より幅広に形成されることを特徴とする、請求項７に記載の携帯式多用途収納箱。
【考案の詳細な説明】
【技術分野】
【０００１】
本考案は、収納・格納装置に関する。より具体的には、ゴルフバッグ、旅行用トランク、器械収納・保管用箱等に広く使われる携帯式多用途収納箱に関する。
【背景技術】
【０００２】
従来の収納箱は、通常、収納物品に対する保護性が悪く、例えば、ゴルフバッグを例として挙げると、伝統的なゴルフバッグは伸縮性に欠けており、その内部に収納されているゴルフクラブに対し理想な保護作用を果たすことができない。一方、シリンダー機能付きのゴルフバッグが現在市販されているが、その構造設計が非合理的であり、例えば、上昇機能が自動的なものではなく、両手で引っ張る必要があり、且つゴルフバッグが収縮する際に筒体の位置決め機能がないため、ゴルフバッグの移動時に生じる振動により筒体の揺れを引き起こしてゴルフクラブのシャフトとヘッドの一体性に損傷を与え、操作が非常に不便である。
【０００３】
なお、従来のゴルフバッグにおいては、持ち歩きの利便性を更に高めるため、ゴルフバッグの底部に輪軸が配設されているが、配設された輪軸により起因して１）複数のバッグが格納される場合、バッグ同士が互いに邪魔して引きずり易くなり、同一のスペースに置かれた別のバッグに損傷を与え、２）輪軸の幅がキャリアの幅より小さいため、重心が非常に不安定になってしまい、バッグが引っくり返して転覆されて中に置かれるクラブシャフトとヘッドに損傷を与える等といった不具合をもたらす虞がある。
【考案の概要】
【考案が解決しようとする課題】
【０００４】
従来の技術における上記欠点を克服するため、本考案は、携帯式多用途収納箱を提供することをその目的とし、本考案に係る収納箱は、伸縮機能を備え、更に自動で格納と排出を行う収容可能な移動輪軸を備え、収納物品に対し優れた保護作用を奏し、且つ気軽に持ち歩くことができ、例えば、旅行用トランク、器械収納・保管用箱等と言った収納設備、特にゴルフバッグに広く用いることができる。
【課題を解決するための手段】
【０００５】
上述の目的を実現するため、本考案により提供される実施形態は、以下の通りである。
【０００６】
携帯式多用途収納箱であって、底板及び底板に配設される外筒を含み、更に外筒の内側壁に配設され且つ外筒の軸方向に沿って伸縮可能な内筒と、底板の中部に配設され且つ内筒内部に位置する支持チューブと、支持チューブの頂部に嵌め込まれて収納物品の仕切りと固定に用いられる網枠とを含み、前記底板、外筒及び内筒に取り囲まれて一つの収納チャンバが形成される。
【０００７】
一つの好適な実施形態によると、前記外筒は、外筒胴体、及び外筒胴体の頂部に固設される外筒上枠からなり、前記内筒は、内筒胴体、内筒胴体の底部に固設される内筒下枠、及び内筒胴体の頂部に固設される内筒上枠からなり、前記外筒と内筒の間に更に伸縮制御機構が配設されており、前記伸縮制御機構は、内筒胴体と内筒上枠の間に配設される胴体留め具と、外筒胴体と外筒上枠の間に配設されるキーホルダーと、キーホルダーに配設されるキーシャフトと、キーシャフトに嵌め込まれる捩りバネと、キーシャフトを介して回動自在にキーホルダーに配設されて胴体留め具を強固に係止させる伸縮キーとから構成され、前記伸縮キーと捩りバネとが弾性接触している。
【０００８】
一つの好適な実施形態によると、前記底板に更に内筒の自動上昇を制御する弾性上昇機構が配設されており、前記弾性上昇機構は、底板に固設される少なくとも二つのスプリングガイドピラーを含み、各スプリングガイドピラーにそれぞれ上昇バネが嵌め込まれており、前記内筒下枠と内筒上枠にそれぞれ突起が設けられ、各突起にはスプリングガイドピラーが挿入された貫通孔が設けられており、前記上昇バネは、内筒下枠における対応する突起と底板の間に位置し、上昇バネの弾性作用で前記内筒胴体が外筒の軸方向に沿って自動的に上昇することができる。
【０００９】
一つの好適な実施形態によると、底板の下方に設けられて内筒の遅速上昇を制御する遅速上昇装置を更に含み、前記遅速上昇装置は、遅速上昇ギアボックス、遅速上昇ギアボックス内に配設される定速歯車セット、歯車クラッチ及び遅速上昇コイルバネ、並びに順に定速歯車セットと伝達可能に連結される抵抗シート及び遅速上昇リールを含み、前記遅速上昇リールに遅速上昇引張ロープが巻き取られ、該遅速上昇引張ロープの一端が底板を通り抜いて内筒下枠に連結され、内筒の自動上昇速度を緩める。
【００１０】
一つの好適な実施形態によると、引張チェーンを介して内筒上枠に取り外し可能に連結される可動カバーを更に含み、前記可動カバーに少なくとも一つの可動留め具が設けられ、前記内筒上枠に前記可動留め具と合わせて強固に係止されるボタンが設けられる。
【００１１】
一つの好適な実施形態によると、前記外筒の外側壁に更に肩紐及び幾つかのボタンが設けられ、更に前記ボタンを介して外筒に取り外し可能に配設される収納袋を備える。
【００１２】
一つの好適な実施形態によると、底板の底部に配設されるベースを更に含み、前記ベースには移動輪軸が収容可能に配設されており、前記収容可能な移動輪軸は、回転軸を介して回転可能にベースの底部に設けられる第１台車チューブ及び第２台車チューブ、並びに第１台車チューブの末端に配設される第１移動輪、及び第２台車チューブに配設される第２移動輪を含み、前記ベースの底部に第１台車チューブと第１移動輪を組み込ませる第１溝部と、第２台車チューブと第２移動輪を組み込ませる第２溝部とが設けられている。
【００１３】
一つの好適な実施形態によると、前記収容可能な移動輪軸の自動格納と排出を駆動する輪軸駆動装置を更に含み、前記輪軸駆動装置は、ベース内に配設される引張バネ、引張バネと連結される可動プレス板、可動プレス板の一側に固定した形で連結されて第１台車チューブの位置決めに用いられる第１固定シート、可動プレス板の他の一側に固定した形で連結されて第２台車チューブの位置決めに用いられる第２固定シート、及び可動プレス板に連結されて可動プレス板を引っ張るための輪軸キー機構を含み、前記第１台車チューブと第２台車チューブにそれぞれ位置決めピンが設けられ、前記第１固定シートは、ベースに回動可能に配設され且つ第１台車チューブの位置決めピンの下部に配置され、第１固定シートに、更に位置決めピンの位置を限定するために二つの第１位置限定溝が対称となって設けられ、前記第２固定シートは、ベースに回動可能に配設され且つ第２台車チューブの位置決めピンの下部に配置され、第２固定シートに、更に位置決めピンの位置を限定するために二つの第２位置限定溝が対称となって設けられ、前記第１台車チューブと第２台車チューブの回転軸にそれぞれ振りバネが嵌め込まれ、回転軸の端部に更に両方向性振り子棒が嵌め込まれており、前記ベース内に更に両方向性振り子棒の両側においてそれぞれ振りバネの端部と当接する振りバネ位置限定溝が設けられている。
【００１４】
一つの好適な実施形態によると、前記輪軸キー機構は、ベース内に配設されるガイドピラー、ガイドピラーに嵌め込まれる引張ローププレスボタン、ベース内に配設される輪軸リール、一端が前記可動プレス板に引き留められ、他の一端が輪軸リールを通り抜いて引張ローププレスボタンを貫いて設置される輪軸引張ロープ、キー支持枠を介して外筒胴体に配設される輪軸キー、及び一端が輪軸キーに固定した形で連結され、他の一端が引張ローププレスボタン内を貫いて設置される押込みピラーを備え、輪軸キーが押込まれると、前記押込みピラー、引張ローププレスボタン及び輪軸引張ロープを経由して順次に伝達されることで前記可動プレス板を引っ張って移動させる。
【００１５】
一つの好適な実施形態によると、前記収容可能な移動輪軸が排出された場合、第１移動輪と第２移動輪の間の幅がベース、底板及び外筒より幅広に形成される。
【考案の効果】
【００１６】
従来の技術と比べ、本考案は、以下のような長所及び効果がある。
【００１７】
１）外筒内壁に外筒の軸方向に沿って伸縮可能な内筒を配設し、底板中部に支持チューブを設け、支持チューブの頂部に収納物品の仕切りと固定用の網枠を嵌め込んで、前記底板、外筒及び内筒に取り囲まれて一つの物品収納用の収納チャンバが形成される。したがって、物品を収納チャンバ内に入れた後、内筒を上昇させることで収納箱内の物品に対して収容・保護効果を奏し、輸送や持ち歩きの途中に収納物品を損壊し、もしくは擦り傷ができてしまうことを防ぎ、且つ収納物品の遺失を効果的に防ぐことができる。一方、収納物品を取出すか、もしくは格納しようとする際、内筒を押込んで収縮させるだけで収納箱の高さを下げることができ、ユーザが物品を取出すか、もしくは収納しようとする際に非常に便利である。
【００１８】
２）前記外筒と内筒の間に更に伸縮制御機構を配設することで、内筒を外筒に格納する際において前記伸縮キーを胴体留め具に強固に係止させ、よって、効果的に内筒の位置決めを行い、収納箱を移動する際に内筒が揺れないように確保し、収納物品の完全性を保証して損壊されることを効果的に回避することができる。
【００１９】
３）前記底板に内筒の自動上昇を制御する弾性上昇機構を配設することで、ユーザが伸縮キーを押込んで胴体留め具から解除させた後、上昇バネの伸縮作用によって内筒が外筒の軸方向に沿って自動的に上昇することができ、よって、収納箱の自動化レベルを高め、設計が合理的で且つ巧みになっており、操作に利便性があるといった長所がある。一方、内筒が完全に上昇すると、上昇バネの持続的な伸縮作用を受けて内筒を上昇限定位置に保持することができ、よって、内筒が自動的に落下して収納物品を圧迫することから免れるように確保し、収納物品の完全性をより確かに確保することができる。
【００２０】
４）底板の下方に内筒の遅速上昇を制御する遅速上昇装置を設けることで、内筒が自動的に上昇する際において遅速上昇リール、抵抗シート、定速歯車セット及び歯車クラッチの協同作用、並びに遅速上昇引張ロープの引張りによって内筒の上昇速度に対し効果的な減速作用を奏し、内筒が上昇バネの作用下で急速に上昇することを避け、収納箱の使いやすさを更に向上させ、収納箱を使用するに当たって安全性及び長寿命化を確保することができる。
【００２１】
５）ベースに収容可能な移動輪軸を配設し、収納箱を移動するに際して該移動輪軸を排出することが可能であり、よって、収納箱の移動が便利であり、気軽に持ち歩くことができる。一方、収納箱を格納しようとする際に移動輪軸を対応する溝部に組み込むことができ、よって、複数の収納箱が格納される際に収納箱同士の輪軸が互いに邪魔して引き摺る問題を回避し、また、同一のスペースに置かれる収納箱が互いに傷つけてしまうといった問題を回避し、更に収納箱の占有スペースを効果的に減らし、設計が特に巧みになっており、実用性がある。
【００２２】
６）ベース内に収容可能な移動輪軸の自動格納と排出を駆動する輪軸駆動装置を配設することで、収納箱の使いやすさを更に高め、収納箱の操作を簡便にして必要とされる時間と労力を減らし、使用に当たって特に利便性がある。
【００２３】
７）前記収容可能な移動輪軸が排出された場合、第１移動輪と第２移動輪の間の幅がベース、底板及び外筒より幅広に形成されており、収納箱が移動する際において安定性に優れ、引っくり返して転覆する現象が生じにくく、よって、収納箱が引っくり返して収納物品を傷つける等といった問題を解決することができる。
【００２４】
８）本考案に係る実施形態によると、携帯式多用途収納箱が伸縮機能を備え、収納物品に対して優れた保護作用を奏するとともに、操作が非常に便利である。また、収容可能な移動輪軸を更に備えることで気軽に持ち歩くことができ、構造設計が合理的で且つ巧みになっており、更に実用性に優れ、ゴルフバッグ、旅行用トランク、器械収納・保管用箱等に広く用い、特に種々の仕様と型番のゴルフバッグに適用することができる。
【００２５】
以下、図面と実施例に基づき本考案に係る携帯式多用途収納箱をより詳しく説明する。
【図面の簡単な説明】
【００２６】
【図１】本考案に係る携帯式多用途収納箱の局部断面図である。
【図２】本考案に係る外筒及び網枠の立体構造を示す概略図である。
【図３】本考案に係る内筒の立体構造を示す概略図である。
【図４】本考案に係る弾性上昇機構の構造を示す概略図である。
【図５】本考案に係る伸縮制御機構の分解構造を示す概略図である。
【図６】本考案に係る遅速上昇装置の分解構造を示す概略図である。
【図７】本考案に係る携帯式多用途収納箱の局部構造を示す一つの概略図である。
【図８】本考案に係る携帯式多用途収納箱の局部構造を示す他の一つの概略図である。
【図９】本考案に係る携帯式多用途収納箱の立体構造を示す概略図である。
【図１０】本考案に係る携帯式多用途収納箱の一実施例を示す透視図である。
【図１１】本考案に係る携帯式多用途収納箱の収容可能な移動輪軸が取込まれた状態を示す断面図である。
【図１２】本考案に係る携帯式多用途収納箱の収容可能な移動輪軸が排出された状態を示す断面図である。
【図１３】本考案に係るベース内部の構造を示す一つの概略図である。
【図１４】本考案に係るベース内部の構造を示す他の一つの概略図である。
【図１５】本考案に係る収容可能な移動輪軸の構造を示す概略図である。
【図１６】本考案に係る第１固定シートと第２固定シートの構造を示す概略図である。
【考案を実施するための形態】
【００２７】
本考案に係る上記目的、特徴及び長所をより明確に理解できるように、以下、図面と具体的な実施形態を挙げて本考案をより詳細に説明する。
【００２８】
以下の説明において、本考案を十分に理解できるように具体的な事項をより多く挙げて詳述するが、本考案は、以下の説明と異なる他の形態によっても実現できる。したがって、本考案の保護範囲が以下に示される具体的な実施例によって制限されるものではない点に留意されたい。
【００２９】
実施例１
本考案に係る実施例１は、携帯式多用途収納箱を提供するものであり、図１、図２及び図３に示すように、前記携帯式多用途収納箱は、底板１、及び底板１に配設される外筒２を含み、更に外筒２の内壁に配設され且つ外筒２の軸方向に沿って伸縮可能な内筒３、底板１の中部に配設され且つ内筒３の内部に位置する支持チューブ４、及び支持チューブ４の頂部に嵌め込まれて収納物品の仕切り及び固定に用いられる網枠５を含み、前記底板１、外筒２及び内筒３に取り囲まれて一つの物品収納用の収納チャンバ６が形成される。したがって、本考案に係る携帯式多用途収納箱は伸縮機能を備え、例えば、ゴルフ用具等の物品を格納、もしくは輸送するに当たって内筒３を上昇させることで収納物品に対して優れた収容・保護作用を奏する。
【００３０】
より具体的には、本実施例において、図２、図３及び図５に示すように、前記外筒２は、外筒胴体２０１及び外筒胴体２０１の頂部に固設される外筒上枠２０２を備え、前記内筒３は、内筒胴体３０１、内筒胴体３０１の底部に固設される内筒下枠３０２、及び内筒胴体３０１の頂部に固設される内筒上枠３０３を備える。一つの好適な実施形態として、内筒３を外筒２に収納する際の安定した位置決めを確保し、例えば、移動途中に内筒３が揺れて収納物品（例えば、ゴルフクラブ等）に損壊を与えることを避けるため、前記外筒２と内筒３の間に更に伸縮制御機構７が配設されており、前記伸縮制御機構７は、内筒胴体３０１と内筒上枠３０３の間に配設される胴体留め具７０１、外筒胴体２０１と外筒上枠２０２の間に配設されるキーホルダー７０２、キーホルダー７０２に配設されるキーシャフト７０３、キーシャフト７０３に嵌め込まれる捩りバネ７０４、及びキーシャフト７０３を介して回動自在にキーホルダー７０２に配設されて胴体留め具７０１を強固に係止させる伸縮キー７０５を備え、前記伸縮キー７０５と捩りバネ７０４とが伸縮自在に接触されている。内筒３を押込んで外筒２に入れると、前記伸縮キー７０５が胴体留め具７０１に強固に係止されて内筒３に対して安定した位置決めを施し、一方、内筒３を上昇させるに際して伸縮キー７０５を押し込むことで胴体留め具７０１から解除することができる。
【００３１】
一つの好適な実施形態によると、図１及び図４に示すように、収納箱の使いやすさを更に高め、且つ人による手動操作を減らしてユーザの使用体験を高めるため、前記底板１に更に内筒３の自動上昇を制御する弾性上昇機構８が配設されており、前記弾性上昇機構８は、底板１に固設される少なくとも二つのスプリングガイドピラー８０１を含み、各スプリングガイドピラー８０１にそれぞれ上昇バネ８０２が嵌め込まれており、前記内筒下枠３０２と内筒上枠３０３にそれぞれ突起３０４が設けられ、各突起３０４にいずれもスプリングガイドピラー８０１を通させる貫通孔が設けられており、前記上昇バネ８０２は、内筒下枠３０２において対応する突起３０４と底板１の間に位置し、上昇バネ８０２の伸縮作用で前記内筒３が外筒２の軸方向に沿って自動的に上昇することができる。一方、内筒３が完全に上昇すると、上昇バネ８０２の持続的な伸縮作用を受けて内筒３を上昇限定位置に安定させて保持することができ、よって、内筒３が自動的に落下することなく、用具等の収納物品の完全性より確かに確保することができる。
【００３２】
一つの好適な実施形態によると、図６に示すように、内筒３が上昇バネ８０２の作用下で急速に上昇することを避け、且つ収納箱を使用するに当たって安全性及び長寿命化を確保するため、底板１の下方に設けられて内筒３の遅速上昇を制御する遅速上昇装置１０を更に含み、よって、内筒３の上昇速度を低下させる。具体的には、前記遅速上昇装置１０は、遅速上昇ギアボックス１００１、遅速上昇ギアボックス１００１内に配設される定速歯車セット１００２、歯車クラッチ１００３及び遅速上昇コイルバネ１００４、及び順に定速歯車セット１００２と伝達可能に連結される抵抗シート１００５と遅速上昇リール１００６を含み、前記歯車クラッチ１００３は、定速歯車セット１００２の間に設けられ、前記遅速上昇リール１００６に遅速上昇引張ロープ１００７が巻き取られ、該遅速上昇引張ロープ１００７の一端が底板１を通り抜いて内筒下枠３０２に連結され、内筒３の自動上昇速度を緩める。遅速上昇リール１００６、抵抗シート１００５、定速歯車セット１００２及び歯車クラッチ１００３の協同作用、並びに遅速上昇引張ロープ１００７の引張りによって内筒３の上昇速度について効果的な制御効果を奏する。当然のことながら、前記遅速上昇装置１０を具体的に底板１の下方に位置するベースに取付けてもよく、また、底板１の底部に設けられた対応するスペースに設けてもよく、実際状況に合わせて具体的な措置を取ることができる。
【００３３】
なお、図９に示すように、引張チェーン９０１を介して内筒上枠３０３に取り外し可能に連結される可動カバー９を更に含み、該可動カバー９を設けることで収納物品に対してより確かに収容・保護作用を奏することができる。ここで、前記可動カバー９に更に少なくとも一つの可動留め具９０２が設けられ、前記内筒上枠３０３に前記可動留め具９０２と一対になって強固に係止されるボタン３０５が設けられる。したがって、本考案に係る収納箱は、輸送や持ち歩きの途中に収納物品を損壊し、もしくは擦り傷ができてしまうことを防ぎ、且つ収納物品の遺失を効果的に防ぐことができ、一方、収納物品を取出すか、もしくは格納しようとする際、内筒を押込んで収縮させるだけで収納箱の高さを下げることができ、ユーザが物品を取出すか、もしくは収納しようとする際に非常に便利である。
【００３４】
一つの好適な実施形態によると、図７及び図８に示すように、前記外筒２の外壁に更に肩紐２０３及び幾つかのボタン２０４が設けられ、更に前記ボタン２０４を介して外筒２に取り外し可能に配設される収納袋２０５を備える。その内、前記ボタン２０４を具体的に外筒胴体２０１及び／または外筒上枠２０２に設けてもよく、その具体的な数は、実際需要に合わせて確定することができる。当然のことながら、前記収納袋２０５の形状と数も実際状況に合わせて確定することができ、本実施例において、好ましくは、図７と図８に示すように、前記収納袋２０５が頭部被り式のものであってもよく、吊り下げ式のものであってもよい。図７に示すように、外筒２に頭部被り式のバッグを配設した場合、可動カバー９を取り外しても収納物品に対して同様に収容・保護作用を奏することができる。
【００３５】
実施例２
本考案に係る実施例２は、他の一つの携帯式多用途収納箱を提供するものであり、図９〜図１６に示すように、本実施例と実施例１との区別は、以下に示される通りである。
【００３６】
本実施例において、一つのより好適な実施形態として、底板１の底部に配設されるベース１１を更に含み、前記ベース１１に収容可能な移動輪軸１２が配設されており、前記収容可能な移動輪軸１２は、回転軸１２０１を介して回転可能にベース１１の底部に設けられる第１台車チューブ１２０２及び第２台車チューブ１２０３、第１台車チューブ１２０２の末端に配設される第１移動輪１２０４、及び第２台車チューブ１２０３に配設される第２移動輪１２０５を含み、前記ベース１１の底部に第１台車チューブ１２０２と第１移動輪１２０４を組み込ませる第１溝部１１０１と、第２台車チューブ１２０３と第２移動輪１２０５を組み込ませる第２溝部１１０２とが設けられている。したがって、収納箱を移動しようとする場合、第１台車チューブ１２０２及び第１移動輪１２０４を第１溝部１１０１内から回して引き出し、並びに第２台車チューブ１２０３及び第２移動輪１２０５を第２溝部１１０２内から回して引き出すことによって便利に収納箱を移動させ、もしくは持ち歩くことができる。一方、収納箱を格納しようとする際に移動輪軸を対応する溝部に組み込めばよく、よって、複数の収納箱が格納される際に収納箱同士の輪軸が互いに邪魔して引きずる問題を回避し、且つ同一のスペースに置かれる収納箱が互いに傷つけてしまうといった問題を回避し、収納箱が必要とされる格納スペースを効果的に減らすことができる。
【００３７】
更に、前記収容可能な移動輪軸１２が排出された場合、第１移動輪１２０４と第２移動輪１２０５の間の幅がベース１１、底板１及び外筒２より幅広に形成される。したがって、収納箱が移動する際において安定性に優れ、引っくり返して転覆する現象が生じにくく、収納箱が引っくり返してゴルフ用具等の収納物品を傷つけることから免れることができる。
【００３８】
本実施例において、更なる変形例として、前記収容可能な移動輪軸１２の自動格納と排出を駆動する輪軸駆動装置１３を更に含み、前記輪軸駆動装置１３は、ベース１１内に配設される引張バネ１３０１、引張バネ１３０１と連結される可動プレス板１３０２、可動プレス板１３０２の一側に固定した形で連結されて第１台車チューブ１２０２の位置決めに用いられる第１固定シート１３０３、可動プレス板１３０２の他の一側に固定した形で連結されて第２台車チューブ１２０３の位置決めに用いられる第２固定シート１３０４、及び与可動プレス板１３０２に連結されて可動プレス板１３０２を引っ張るための輪軸キー機構１４を含み、前記第１台車チューブ１２０２と第２台車チューブ１２０３にそれぞれ位置決めピン１２０６が設けられ、前記第１固定シート１３０３は、ベース１１に回動可能に配設され且つ第１台車チューブ１２０２の位置決めピン１２０６の下部に配置され、第１固定シート１３０３に、更に位置決めピン１２０６の位置を限定するために二つの第１位置限定溝１３０５が対称となって設けられ、前記第２固定シート１３０４は、ベース１１回動可能に配設され且つ第２台車チューブ１２０３の位置決めピン１２０６の下部に配置され、第２固定シート１３０４に、更に位置決めピン１２０６の位置を限定するために二つの第２位置限定溝１３０５が対称となって設けられており、前記第１台車チューブ１２０２と第２台車チューブ１２０３の回転軸１２０１にそれぞれ振りバネ１３０７が嵌め込まれ、回転軸１２０１の端部に更に両方向性振り子棒１３０８が嵌め込まれており、前記ベース１１内に、更に両方向性振り子棒１３０８の両側においてそれぞれ振りバネ１３０７の端部と当接する振りバネ位置限定溝１１０３が設けられている。前記輪軸キー機構１４に引っ張られて可動プレス板１３０２が後方に向いて移動するとき、可動プレス板１３０２に引き摺られて第１固定シート１３０３が第１台車チューブ１２０２の位置決めピン１２０６から抜かれると同時に、第２固定シート１３０４を引き摺って第２台車チューブ１２０３の位置決めピン１２０６から抜き出し、このとき、第１台車チューブ１２０２に引き摺られて第１移動輪１２０４、並びに第２台車チューブ１２０３に引き摺られて第２移動輪１２０５が下方に向いて回動し始まる。回転軸１２０１が回動し始まると、両方向性振り子棒１３０８の振動が始まり、その後、対応する振りバネ１３０７の作用下で第１台車チューブ１２０２に引き摺られて第１移動輪１２０４が第１溝部１１０１内へ取込まれるか、または第１溝部１１０１から排出され、第２台車チューブ１２０３に引き摺られて第２移動輪１２０５が第２溝部１１０２内へ取込まれるか、または第２溝部１１０２から排出され、よって、収容可能な移動輪軸１２の自動格納と排出を実現し、収納箱の知的設計レベルが更に向上し、且つ操作が便利になって必要とされる時間と労力が減らされる。
【００３９】
更に、前記輪軸キー機構１４は、ベース１１内に配設されるガイドピラー１４０１、ガイドピラー１４０１に嵌め込まれる引張ローププレスボタン１４０２、ベース１１内に配設される輪軸リール１４０３、一端が前記可動プレス板１３０２に引き留められ、他の一端が輪軸リール１４０３を通り抜いて引張ローププレスボタン１４０２を貫いて設けられる輪軸引張ロープ１４０４、キー支持枠１４０５を介して外筒胴体２０１に配設される輪軸キー１４０６、及び一端が輪軸キー１４０６に固定した形で連結され、他の一端が引張ローププレスボタン１４０２内を貫いて設けられる押込みピラー１４０７を備え、輪軸キー１４０６が押し込まれると、前記押込みピラー１４０７、引張ローププレスボタン１４０２及び輪軸引張ロープ１４０４を経由して順次に伝達されることで前記可動プレス板１３０２を引っ張って移動させる。図９、図１０及び図１１に示されるように、本実施例において、ユーザによる輪軸キー１４０６の押込み操作をより快適なものにするため、前記キー支持枠１４０５の外壁に更にハンドリングが設けられている。
【００４０】
より詳細に説明すると、ユーザが輪軸キー１４０６を押込むと、輪軸キー１４０６に連動して押込みピラー１４０７が下方に圧力を掛け、よって、引張ローププレスボタン１４０２が押込まれる。 引張ローププレスボタン１４０２に連動して輪軸引張ロープ１４０４が下方に移動し、よって、引張ロープ１４０４に引き摺られて可動プレス板１３０２が後方に向いて移動し、更に、可動プレス板１３０２に引き摺られて第１固定シート１３０３、第２固定シート１３０４がそれぞれ第１台車チューブ１２０２の位置決めピン及び第２台車チューブ１２０３の位置決めピンから解除される。前記収容可能な輪軸１３の格納または排出操作が終了すると、輪軸キー１４０６を復帰させ、よって、それに連動して押込みピラー１４０７、及び引張ローププレスボタン１４０２も復帰する。このとき、引張バネ１３０１の作用力を受けて引き摺られる形で可動プレス板１３０２が復帰し、可動プレス板１３０２に引き摺られて第１固定シート１３０３が復帰して第１台車チューブ１２０２の位置決めピン１２０６に対して位置限定を行い、同時に第２固定シート１３０４を引き摺って復帰させて第２台車チューブ１２０３の位置決めピン１２０６に対して位置限定を行う。上述のように、操作が簡便であり、ユーザが輪軸キー１４０６を押込むだけで収容可能な移動輪軸１２の自動格納もしくは排出を実現することができ、更に、その動きがスムーズ且つ安定になっており、使用に当たって長寿命化が図られる。
【００４１】
図１０に示すように、本実施例において、前記遅速上昇装置１０は、具体的にベース１１内に配設される。
【００４２】
本実施例の他の特徴は実施例１と同じであるため、ここで説明を省略する。
【００４３】
上記のように、本実施例２と実施例１との区別として、本実施例により提供される携帯式多用途収納箱は、伸縮機能に加えて収容可能な移動輪軸１２を備え、収納箱の移動が便利であり、気軽に持ち歩くことができる。更に、複数の収納箱を同一のスペースに格納する際に収納箱同士の輪軸が互いに邪魔して傷つけてしまうという従来の課題を解決し、構造設計が合理的且つ巧みであり、更に実用性に優れ、ゴルフバッグ、旅行用トランク、器械収納・保管用箱等に広く用い、特に多種な仕様と型番のゴルフバッグに適用することができる。
【００４４】
上述した実施例は、本考案の比較的好適な実施形態であり、本考案の実施形態が上記実施例によって制限されるものではない。したがって、本考案の趣旨と技術範疇から逸脱しない限りにおいて種々の変形、変更、取替し、多重化、簡略化は全て等価的な差替えであり、それら全てが本考案の保護範囲に属すると留意すべきである。
【符号の説明】
【００４５】
１  底板
２  外筒
２０１  外筒胴体
２０２  外筒上枠
２０３  肩紐
２０４  ボタン
２０５  収納袋
３  内筒
３０１  内筒胴体
３０２  内筒下枠
３０３  内筒上枠
３０４  突起
３０５  ボタン
４  支持チューブ
５  網枠
６  収納チャンバ
７  伸縮制御機構
７０１  胴体留め具
７０２  キーホルダー
７０３  キーシャフト
７０４  捩りバネ
７０５  伸縮キー
８  弾性上昇機構
８０１  スプリングガイドピラー
８０２  上昇バネ
９  可動カバー
９０１  引張チェーン
９０２  可動留め具
１０  遅速上昇装置
１００１  遅速上昇ギアボックス
１００２  定速歯車セット
１００３  歯車クラッチ
１００４  遅速上昇コイルバネ
１００５  抵抗シート
１００６  遅速上昇リール
１００７  遅速上昇引張ロープ
１１  ベース
１１０１  第１溝部
１１０２  第２溝部
１１０３  振りバネ位置限定溝
１２  収容可能な移動輪軸
１２０１  回転軸
１２０２  第１台車チューブ
１２０３  第２台車チューブ
１２０４  第１移動輪
１２０５  第２移動輪
１２０６  位置決めピン
１３  輪軸駆動装置
１３０１  引張バネ
１３０２  可動プレス板
１３０３  第１固定シート
１３０４  第２固定シート
１３０５  第１位置限定溝
１３０６  第２位置限定溝
１３０７  振りバネ
１３０８  両方向性振り子棒
１４  輪軸キー機構
１４０１  ガイドピラー
１４０２  引張ローププレスボタン
１４０３  輪軸リール
１４０４  輪軸引張ロープ
１４０５  キー支持枠
１４０６  輪軸キー
１４０７  押込みピラー
【図１】
0003190760.tif 000003
【図２】
0003190760.tif 000004
【図３】
0003190760.tif 000005
【図４】
0003190760.tif 000006
【図５】
0003190760.tif 000007
【図６】
0003190760.tif 000008
【図７】
0003190760.tif 000009
【図８】
0003190760.tif 000010
【図９】
0003190760.tif 000011
【図１０】
0003190760.tif 000012
【図１１】
0003190760.tif 000013
【図１２】
0003190760.tif 000014
【図１３】
0003190760.tif 000015
【図１４】
0003190760.tif 000016
【図１５】
0003190760.tif 000017
【図１６】
0003190760.tif 000018
【手続補正書】
【提出日】平成26年3月17日(2014.3.17)
【手続補正１】
【補正対象書類名】実用新案登録請求の範囲
【補正対象項目名】全文
【補正方法】変更
【補正の内容】
【実用新案登録請求の範囲】
【請求項１】
底板（１）、及び底板（１）に配設される外筒（２）を含む携帯式多用途収納箱であり、
外筒（２）の内側壁に配設され且つ外筒（２）の軸方向に沿って伸縮可能な内筒（３）と、底板（１）の中部に配設され且つ内筒（３）内部に位置する支持チューブ（４）と、支持チューブ（４）の頂部に嵌め込まれて収納物品の仕切りと固定に用いられる網枠（５）とを更に含み、
前記底板（１）、外筒（２）及び内筒（３）に取り囲まれて一つの収納チャンバ（６）が形成されていることを特徴とする、携帯式多用途収納箱。
【請求項２】
前記外筒（２）は、外筒胴体（２０１）及び外筒胴体（２０１）の頂部に固設される外筒上枠（２０２）からなり、前記内筒（３）は、内筒胴体（３０１）、内筒胴体（３０１）の底部に固設される内筒下枠（３０２）、及び内筒胴体（３０１）の頂部に固設される内筒上枠（３０３）からなり、
前記外筒（２）と内筒（３）の間に伸縮制御機構（７）が更に配設されており、前記伸縮制御機構（７）は、内筒胴体（３０１）と内筒上枠（３０３）の間に配設される胴体留め具（７０１）と、外筒胴体（２０１）と外筒上枠（２０２）の間に配設されるキーホルダー（７０２）と、キーホルダー（７０２）に配設されるキーシャフト（７０３）と、キーシャフト（７０３）に嵌め込まれた捩りバネ（７０４）と、キーシャフト（７０３）を介して回動自在にキーホルダー（７０２）に配設されて胴体留め具（７０１）を強固に係止させる伸縮キー（７０５）とから構成され、
前記伸縮キー（７０５）と捩りバネ（７０４）とが弾性接触していることを特徴とする、請求項１に記載の携帯式多用途収納箱。
【請求項３】
前記底板（１）に、内筒（３）の自動上昇を制御する弾性上昇機構（８）が更に配設されており、前記弾性上昇機構（８）は、底板（１）に固設される少なくとも二つのスプリングガイドピラー（８０１）を含み、各スプリングガイドピラー（８０１）にそれぞれ上昇バネ（８０２）が嵌め込まれ、前記内筒下枠（３０２）と内筒上枠（３０３）にそれぞれ突起（３０４）が設けられ、各突起（３０４）にはスプリングガイドピラー（８０１）が挿入された貫通孔が設けられており、
前記上昇バネ（８０２）は、内筒下枠（３０２）における対応する突起（３０４）と底板（１）の間に位置し、上昇バネ（８０２）の弾性作用で前記内筒胴体（３０１）が外筒（２）の軸方向に沿って自動的に上昇することができることを特徴とする、請求項２に記載の携帯式多用途収納箱。
【請求項４】
底板（１）の下方に設けられて内筒（３）の遅速上昇を制御する遅速上昇装置（１０）を更に含み、前記遅速上昇装置（１０）は、遅速上昇ギアボックス（１００１）、遅速上昇ギアボックス（１００１）内に配設される定速歯車セット（１００２）、歯車クラッチ（１００３）及び遅速上昇コイルバネ（１００４）、並びに順に定速歯車セット（１００２）と伝達可能に連結される抵抗シート（１００５）及び遅速上昇リール（１００６）を含み、
前記遅速上昇リール（１００６）に遅速上昇引張ロープ（１００７）が巻取られ、該遅速上昇引張ロープ（１００７）の一端が底板（１）を貫通して内筒下枠（３０２）に連結され、内筒（３）の自動上昇速度を緩めることを特徴とする、請求項３に記載の携帯式多用途収納箱。 
【請求項５】
引張チェーン（９０１）を介して内筒上枠（３０３）に取り外し可能に連結される可動式カバー（９）を更に含み、前記可動式カバー（９）に少なくとも一つの可動留め具（９０２）が設けられ、前記内筒上枠（３０３）に前記可動留め具（９０２）と合わせて強固に係止されるボタン（３０５）が設けられることを特徴とする、請求項２に記載の携帯式多用途収納箱。
【請求項６】
前記外筒（２）の外側壁に肩紐（２０３）及び複数のボタン（２０４）が更に設けられ、前記ボタン（２０４）を介して外筒（２）に取り外し可能に配設される収納袋（２０５）を更に備えることを特徴とする、請求項１に記載の携帯式多用途収納箱。
【請求項７】
底板（１）の底部に配設されるベース（１１）を更に含み、前記ベース（１１）には移動輪軸（１２）が収容可能に配設されており、
前記移動輪軸（１２）は、回転軸（１２０１）を介して回転可能にベース（１１）の底部に設けられる第１台車チューブ（１２０２）及び第２台車チューブ（１２０３）、並びに第１台車チューブ（１２０２）の末端に配設される第１移動輪（１２０４）、及び第２台車チューブ（１２０３）に配設される第２移動輪（１２０５）を含み、
前記ベース（１１）の底部に、第１台車チューブ（１２０２）及び第１移動輪（１２０４）が嵌め込まれた第１溝部（１１０１）と、第２台車チューブ（１２０３）及び第２移動輪（１２０５）が嵌め込まれた第２溝部（１１０２）とが設けられていることを特徴とする、請求項１〜６の何れか１項に記載の携帯式多用途収納箱。
【請求項８】
前記移動輪軸（１２）の自動格納と排出を駆動する輪軸駆動装置（１３）を更に含み、前記輪軸駆動装置（１３）は、ベース（１１）内に配設される引張バネ（１３０１）、引張バネ（１３０１）と連結される可動プレス板（１３０２）、可動プレス板（１３０２）の一側に固定した形で連結されて第１台車チューブ（１２０２）の位置決めに用いられる第１固定シート（１３０３）、可動プレス板（１３０２）の他の一側に固定した形で連結されて第２台車チューブ（１２０３）の位置決めに用いられる第２固定シート（１３０４）、及び可動プレス板（１３０２）に連結されて可動プレス板（１３０２）を引っ張るための輪軸キー機構（１４）を含み、
前記第１台車チューブ（１２０２）と第２台車チューブ（１２０３）にそれぞれ位置決めピン（１２０６）が設けられ、前記第１固定シート（１３０３）は、ベース（１１）に回動可能に配設され且つ第１台車チューブ（１２０２）の位置決めピン（１２０６）の下部に配置され、第１固定シート（１３０３）に、位置決めピン（１２０６）の位置を限定するために二つの第１位置限定溝（１３０５）が対称となって更に設けられ、前記第２固定シート（１３０４）は、ベース（１１）に回動可能に配設され且つ第２台車チューブ（１２０３）の位置決めピン（１２０６）の下部に配置され、第２固定シート（１３０４）に、位置決めピン（１２０６）の位置を限定するために二つの第２位置限定溝（１３０６）が更に対称となって設けられており、
前記第１台車チューブ（１２０２）と第２台車チューブ（１２０３）の回転軸（１２０１）にそれぞれ振りバネ（１３０７）が嵌め込まれ、回転軸（１２０１）の端部に両方向性振り子棒（１３０８）が嵌め込まれており、前記ベース（１１）内に両方向性振り子棒（１３０８）の両側においてそれぞれ振りバネ（１３０７）の端部と当接する振りバネ位置限定溝（１１０３）が更に設けられていることを特徴とする、請求項７に記載の携帯式多用途収納箱。
【請求項９】
前記輪軸キー機構（１４）は、ベース（１１）内に配設されるガイドピラー（１４０１）、ガイドピラー（１４０１）に嵌め込まれた引張ローププレスボタン（１４０２）、ベース（１１）内に配設される輪軸リール（１４０３）、一端が前記可動プレス板（１３０２）に引き留められ、他端が輪軸リール（１４０３）を経由して引張ローププレスボタン（１４０２）を貫いて設置される輪軸引張ロープ（１４０４）、キー支持枠（１４０５）を介して外筒胴体（２０１）に配設される輪軸キー（１４０６）、及び一端が輪軸キー（１４０６）に固定した形で連結され、他端が引張ローププレスボタン（１４０２）内を貫いて設置される押込みピラー（１４０７）を備え、
輪軸キー（１４０６）が押込まれると、前記押込みピラー（１４０７）、引張ローププレスボタン（１４０２）及び輪軸引張ロープ（１４０４）を経由して順次に伝達されることで前記可動プレス板（１３０２）が引っ張られて移動することを特徴とする、請求項８に記載の携帯式多用途収納箱。
【請求項１０】
前記移動輪軸（１２）が排出された場合、第１移動輪（１２０４）と第２移動輪（１２０５）の間の幅がベース（１１）、底板（１）及び外筒（２）より幅広に形成されることを特徴とする、請求項７に記載の携帯式多用途収納箱。